(57)【要約】【課題】従来、トイレットペーパーを１個宛、その防水性、衛生面等に留意してパッケージしたようなものは全く提供されていなかった。また、特に若者の間ではトイレ用としてばかりでなく、トイレットペーパーを裸のままの状態で、常に身近に置いて使用することが非常に多くなってきているが、一般的には、トイレットペーパーはトイレ専用との固定観念が根強くあるため、トイレ以外の場所、例えば一般家庭の部屋、オフィス、レストラン等に置いて使用することに対して強い抵抗感や違和感があった。【解決手段】プラスチックシート若しくは薄手プラスチック板等の型成形加工でロール状のトイレットペーパーの縦断半分を収納するに見合った半円筒形の凹部からなる半収納部を形成すると共に、該半収納部の開口部の周辺に設定幅の合せ代を延設した、１対のパッケージ半体を設け、少なくとも一方のパッケージ半体の合せ代の一部に鋸歯状のカッター部を形成し、該１対のパッケージ半体の相互の合せ代を腹合わせにくっつけて、内部に１個のトイレットペーパーを収納する収納部を形成したものである、トイレットペーパー用パッケージによって、また、該トイレットペーパー用パッケージの収納部にトイレットペーパーを収納したものである、パッケージトイレットペーパーによって課題を解決した。【選択図】図５
2004147958.tif 000002
【特許請求の範囲】
【請求項１】
プラスチックシート若しくは薄手プラスチック板等の型成形加工でロール状のトイレットペーパーの縦断半分を収納するに見合った半円筒形の凹部からなる半収納部を形成すると共に、該半収納部の開口部の周辺に設定幅の合せ代を延設した、１対のパッケージ半体を設け、少なくとも一方のパッケージ半体の合せ代の一部に鋸歯状のカッター部を形成し、該１対のパッケージ半体の相互の合せ代を腹合わせにくっつけて、内部に１個のトイレットペーパーを収納する収納部を形成したものである、
トイレットペーパー用パッケージ。
【請求項２】
プラスチックシート若しくは薄手プラスチック板等の型成形加工でロール状のトイレットペーパーの縦断半分を収納するに見合った半円筒形の凹部からなる半収納部を形成すると共に、該半収納部の開口部の周辺に設定幅の合せ代を延設した、１対のパッケージ半体を設け、少なくとも一方のパッケージ半体の合せ代の一部に鋸歯状態のカッター部を形成し、該１対のパッケージ半体の相互の合せ代を腹合わせにくっつけて、内部に１個のトイレットペーパーを収納する収納部を形成してトイレットペーパー用パッケージを設け、該トイレットペーパー用パッケージの収納部にトイレットペーパーを収納したものである、
パッケージトイレットペーパー。
【請求項３】
１対のパッケージ半体の合せ代相互をくっつける手段は、合せ代の一部に両面粘着テープを粘着して着脱自在にくっつける、一方の合わせの一部に係合小片を形成し他方の合せ代に形成したスリットに着脱自在に係合する、合せ代の一部に相対して凹凸を形成しそれを着脱自在に嵌合する、一方の合せ代の縁部の一部に折り返し片を形成しそれを他方の合せ代の縁部に着脱自在に引掛ける、接着剤、加熱溶着等で固着するなど、具体的に両合せ部をくっつける手段であれば任意であり、また着脱自在とするか、若しくは固着するかも任意である、
請求項１のトイレットペーパー用パッケージ。
【請求項４】
トイレットペーパー用パッケージを設ける１対のパッケージ半体において、両パッケージ半体を連結部で一連に形成し、該連結部で折り曲げて両半体を腹合せにくっつけるように設けたものであり、少なくとも一方のパッケージ半体にカッター部を形成し、また、必要に応じて連結部にカッター部とスタンド部を形成したものである、
請求項１のトイレットペーパー用パッケージ。
【請求項５】
トイレットペーパー用パッケージを設ける１対のパッケージ半体において、パッケージ半体を個別に設け、少なくとも一方のパッケージ半体にカッター部を形成したものである、
請求項１のトイレットペーパー用パッケージ。
【請求項６】
トイレットペーパー用パッケージはその全部若しくは一部を無色若しくは有色の透明としたものである、
請求項１のトイレットペーパー用パッケージ。
【請求項７】
トイレットペーパー用パッケージはその周面の全部若しくは一部に文字、模様、絵柄等を表したものである、
請求項１のトイレットペーパー用パッケージ。
【発明の詳細な説明】
【０００１】
【産業上の利用分野】
ロール状のトイレットペーパーを１個宛パッケージできるように設けたコンパクトでスマートなプラスチック製の「トイレットペーパー用パッケージ」を提供し、また、該トイレットペーパー用パッケージに１個のトイレットペーパーを収納した「パッケージトイレットペーパー」を提供するものであり、それによって、トイレットペーパーはトイレで使用するものであるとする従来の固定観念を打破し、何処でも抵抗感なく使用できるようにして、トイレットペーパーの汎用性を画期的に向上したものである。
【０００２】
【従来の課題】
従来、ロール状のトイレットペーパーは１２個宛、６個宛等を組としてビニールフィルム袋等で包装して、スーパー、コンビニ等で安価かつ大量に販売されているが、これまで、トイレットペーパーを１個宛、その防水性、衛生面等に留意してパッケージしたようなものは全く提供されていなかった。
そのため、正式にトイレのトイレットペーパーホルダーに１個宛セットした状態で使用する以外、例えば、レジャー、アウトドア等で屋内外で使用する場合、自動車内で使用する場合、また災害時に使用する場合などは、前記１２個、６個のパックから１個ずつ取り出し個々の状態で使用しており、個々のトイレットペーパーが、勝手に転がって展開してしまったり、雨水に濡れて駄目になるなど、使用、保管、運搬等のあらゆる面で扱い難く不便な状態にあった。
【０００３】
一方、トイレットペーパーは極めて安価に提供されている上に、保健衛生的にも極めて安全であり、柔らかく吸水性に優れ、長尺紙（例、シングル６０ｍ）がコンパクトに巻装されているため長期間使用でき、また、廃棄ゴミとしても環境に優しい等の極めて優れた特性がある。
【０００４】
そして、近時、特に若者の間ではトイレ用としてばかりでなく、トイレットペーパーを裸のままの状態で、常に身近に置いて使用することが非常に多くなってきているが、一般的には、トイレットペーパーはトイレ専用との固定観念が根強くあるため、トイレ以外の場所、例えば一般家庭の部屋、オフィス、レストラン等に置いて使用することに対して強い抵抗感や違和感があることは否定できないところである。
【０００５】
【発明が解決した課題】
そこで、本発明は、上記トイレ以外の場所でトイレットペーパーを使用する場合に、トイレットペーパーをそのままいわば裸の状態で使用するのではなく、トイレットペーパーを１個宛コンパクトでスマートな、例えば一般家庭のリビングルーム、ダイニングルームや、オフィス、レストラン等に置いても体裁が悪くなく違和感を生じないように設けた本発明パッケージに収納して使用するようにして、トイレットペーパーをトイレ以外のあらゆる場所で、ティシュペーパー等と同様に使用できるようにして、上記従来の固定観念を打破することに成功したものであり、また、併せてトイレットペーパーの汎用性を革期的に向上したものである。
【０００６】
【課題を解決する手段】
即ち、本発明は、プラスチックシート若しくは薄手プラスチック板等の型成形加工でロール状のトイレットペーパーの縦断半分を収納するに見合った半円筒形の凹部からなる半収納部を形成すると共に、該半収納部の開口部の周辺に設定幅の合せ代を延設した、１対のパッケージ半体を設け、少なくとも一方のパッケージ半体の合せ代の一部に鋸歯状のカッター部を形成し、該１対のパッケージ半体の相互の合せ代を腹合わせにくっつけて、内部に１個のトイレットペーパーを収納する収納部を形成したものである、トイレットペーパー用パッケージによって課題を解決したものである。
【０００７】
また、本発明は、プラスチックシート若しくは薄手プラスチック板等の型成形加工でロール状のトイレットペーパーの縦断半分を収納するに見合った半円筒形の凹部からなる半収納部を形成すると共に、該半収納部の開口部の周辺に設定幅の合せ代を延設した、１対のパッケージ半体を設け、少なくとも一方のパッケージ半体の合せ代の一部に鋸歯状態のカッター部を形成し、該１対のパッケージ半体の相互の合せ代を腹合わせにくっつけて、内部に１個のトイレットペーパーを収納する収納部を形成してトイレットペーパー用パッケージを設け、該トイレットペーパー用パッケージの収納部にトイレットペーパーを収納したものである、
パッケージトイレットペーパーによって課題を解決したものである。
【０００８】
【実施例】
プラスチックシート若しくは薄手プラスチック板等の型成形加工でロール状のトイレットペーパー１の縦断半分を収納するに見合った半円筒形の凹部からなる半収納部２を形成すると共に、該半収納部２の開口部の周辺に設定幅の合せ代３を延設した、１対のパッケージ半体ａ、ａを設け、少なくとも一方のパッケージ半体ａの合せ代３の一部に鋸歯状のカッター部４を形成し、該１対のパッケージ半体ａ、ａの相互の合せ代３を腹合わせにくっつけて、内部に１個のトイレットペーパー１を収納する収納部５を形成して、トイレットペーパー用パッケージＡを設けたものであり、
実施例１（図１〜図８を参照）、実施例２（図９〜図１４を参照）、
【０００９】
また、上記のようにして設けたトイレットペーパー用パッケージＡの収納部５に１個のトイレットペーパー１を収納した、パッケージトイレットペーパーを設けたものである。
実施例１（図１、図５を参照）、実施例２（図９、図１１を参照）。
【００１０】
１対のパッケージ半体ａ、ａの合せ代３相互をくっつける手段は、例えば、
（１）一方の合せ代３の一部に係合小片６を形成し他方の合せ代３に形成したスリット７に着脱自在に係合する、
（２）合せ代３の一部に両面粘着テープを粘着して着脱自在にくっつける、
（３）合せ代の一部に相対して凹凸を形成しそれを着脱自在に嵌合する、
（４）一方の合せ代の縁部の一部に折り返し片を形成しそれを他方の合せ代の縁部に着脱自在に引掛ける、
（５）接着剤、加熱溶着等で固着するなど、
要するに、具体的に両合せ部３、３をくっつける手段であれば任意であり、着脱自在とするか、くっつけたまま（固着状態）とするかは任意である。
【００１１】
実施例１は、トイレットペーパー用パッケージＡを設ける１対のパッケージ半体ａ、ａにおいて、両パッケージ半体ａ、ａを連結部８で一連に形成し、該連結部８で折り曲げて両半体ａ、ａを腹合せにくっつけて設けたものであり、一方のパッケージ半体ａの上端にカッター部４を形成し、また、連結部８の方にもカッター部４とスタンド部１０を形成して、トイレットペーパー１をパッケージＡの上部若しくはスタンド部１０から選択的に引き出し及びカットできるようにしたものである。
なお、符号９は販売時や壁掛け使用時等にパッケージトイレットペーパーを掛け通して吊るすための孔である。
【００１２】
実施例２は、トイレットペーパー用パッケージＡを設ける１対のパッケージ半体ａ、ａにおいて、両パッケージ半体ａ、ａを個別に設け、各パッケージ半体ａ、ａにカッター部４を形成したものを、上下互い違いの腹合せにくっつけて設けたものであり、トイレットペーパーをパッケージＡの上部若しくは下部から選択的に引き出し及びカットできるようにしたものである。
なお、符号１１はトイレットペーパー１の芯軸に嵌合して該トイレットペーパー１を軸架する軸受凸部である。
【００１３】
また、本発明のトイレットペーパー用パッケージは、目的に応じて、その全部若しくは一部を無色若しくは有色の透明とするものである。
【００１４】
更に、本発明のトイレットペーパー用パッケージは、目的に応じて、その周面の全部若しくは一部に種々の色彩で文字、模様、絵柄等を表すものである。
【００１５】
【作用】
両パッケージ半体ａ、ａで形成される収納部５にトイレットペーパー１を入れて両パッケージ半体ａ、ａの合せ代３相互を任意のくっつけ手段、例えば、一方の合せ代３の一部に形成した係合小片６を他方の合せ代３に形成したスリット７に着脱自在に係合し着脱自在にくっつけて、トイレットペーパー用パッケージを設けると同時に、パッケージトイレットペーパーを設ける。
図１〜図８、及び、図９〜図１４を参照。
【００１６】
上記パッケージトイレットペーパーの収納部５内からトイレットペーパー１の先端を、両パッケージ半体ａ、ａの合せ代３、３間に該部を挟みガイドとして挿通して、トイレットペーパー用パッケージＡの上部若しくは下部から選択的に引き出し、カッター部４で必要長にカットして使用するものである。
図１、図５、及び、図９、図１１を参照。
【００１７】
【効果】
本発明トイレットペーパー用パッケージは、パッケージとしてトイレットペーパーを１個ずつ包装してトイレットペーパーの防水性と衛生面を確保し得ると同時に、いわばホルダー式に構成されているため、トイレットペーパーを本パッケージの上部若しくは下部から引き出し及びカットして自在に使用できる。
【００１８】
トイレットペーパー用パッケージは、プラスチックシートの大量型成形製造で極めて安価に提供できる。
【００１９】
トイレットペーパーをパッケージしたパッケージトイレットペーパーとして販売できると共に、トイレットペーパー用パッケージだけを独立商品として販売することもできる。
その場合、トイレットペーパー用パッケージがあれば中身のトイレットペーパーを交換して何度でも使用し得る。
【００２０】
従来、トイレットペーパーを１個だけ欲しいという場合にも、１２個、６個など纏めて購入しなければならなかったが、本発明によれば１個だけ、１個ずつの販売及び購入が可能になる。
【００２１】
従来、トイレットペーパーはトイレ専用の固定観念があったが、本発明品によれば、例えば、一般家庭、オフィス、レストラン等のトイレ以外の場所でも、ロールペーパーやロール式ペーパーナプキンとして抵抗感無しに便利に使用できる。
【００２２】
従来、キャンプやつり等のアウトドアや、緊急災害時等において、トイレットペーパーを裸のままで使うか、ティッシュペーパーをわざわざ持っていくしかなかったが、本発明品であればそれらの場合に即座に適応できる。
【００２３】
外観、体裁をコンパクトでスマートに設けて、壁掛け式、置き式のどちらにも使用出来、車等の車載用としても使用できる。また、定位置に転がらずに置いておけるメリットがある。
【００２４】
透明な素材でトイレットペーパー用パッケージを設ければ、中のペーパーの残量がわかる利点がある。
【００２５】
トイレットペーパー用パッケージ若しくはパッケージ半体は薄いプラスチックの同一型製品であって、多数枚をコンパクトに積み重ねることができ、よって、保管、運搬、特に緊急物資としての保管、運搬に最適な特徴がある。
【００２６】
デザイン等を変更することによって、使用範囲は無限に展開できる。
【００２７】
以上のように、本発明は、トイレットペーパーの従来の固定概念を１８０度変えると共に、その汎用性を画期的に拡張する優れた効果がある。
【００２８】
また、本発明は、例えば、台所のロール式のペーパータオル等のようなロールペーパー状のもののパッケージとして利用することが出来る。
【図面の簡単な説明】
【図１】実施例１のトイレットペーパー用パッケージ（パッケージトイレットペーパー）の正面図。
【図２】図１の平面図。
【図３】図１の底面図。
【図４】図１の右側面図。
【図５】図１のＢ−Ｂ線断面矢視拡大図。
【図６】実施例１のパッケージ半体（２個のパッケージ半体を連結）の正面図。
【図７】図６のＣ−Ｃ線断面矢視図。
【図８】図６のＤ−Ｄ線断面矢視図。
【図９】実施例２のトイレットペーパー用パッケージ（パッケージトイレットペーパー）の正面図。
【図１０】図９の右側面図。
【図１１】図９のＥ−Ｅ線断面矢視拡大図。
【図１２】実施例２のパッケージ半体の正面図、底面図、右側面図。
【図１３】図１２のＦ−Ｆ線断面矢視図。
【図１４】図１２のＧ−Ｇ線断面矢視図。
【符号の説明】
Ａ  トイレットペーパー用パッケージ
ａ  パッケージ半体
１  トイレットペーパー
２  半収納部
３  合せ代
４  カッター部
５  収納部
６  係合小片
７  スリット
８  連結部
９  吊るし用の孔
１０  スタンド
１１  軸受凸部
【図１】
2004147958.tif 000003
【図２】
2004147958.tif 000004
【図３】
2004147958.tif 000005
【図４】
2004147958.tif 000006
【図５】
2004147958.tif 000007
【図６】
2004147958.tif 000008
【図７】
2004147958.tif 000009
【図８】
2004147958.tif 000010
【図９】
2004147958.tif 000011
【図１０】
2004147958.tif 000012
【図１１】
2004147958.tif 000013
【図１２】
2004147958.tif 000014
【図１３】
2004147958.tif 000015
【図１４】
2004147958.tif 000016